(57)【要約】【課題】従来のダイビングスーツの問題点を解消し、ダイビングのスポーツ前後の着脱の際に身体に余分な力を加えることをなくし、スーツの破損も防ぎ、さらに環境に優しい日焼けを防ぐ機能を提供するものである。【解決手段】ダイビングなどのマリンスポーツ用のスーツ等の着脱時に肌側に使用する、粘調性のあるゲル構造体を有することを特徴とする製剤を、適量用いる高分子ゲルの脱着剤である。さらに、珊瑚の白化など環境に優しい日焼けを防ぐ成分を配合する。【選択図】なし【特許請求の範囲】
【請求項１】
ダイビングスーツの肌側の表面の一部または全面に皮膜を形成するための製剤であって、高分子ゲル化剤が配合されていることを特徴とするダイビングスーツ用の脱着剤。
【請求項２】
前記高分子ゲル化剤が、水溶性高分子の構造体ゲル化剤であることを特徴とする請求項１に記載のダイビングスーツ用の脱着剤。
【請求項３】
前記高分子ゲル化剤は、カルボキシビニルポリマー、ポリアクリル酸アミド、ポリエチレンイミン、ポリビニルアルコール、ポリビニルピロリドン、高重合ポリエチレングリコール、カルボキシメチルセルロース、ヒドロキシエチルセルロース、ヒドロキシプロピルメチルセルロースの中から選択されるいずれか１種以上であり、合計０．０１〜１０．０重量％配合されていることを特徴とする請求項１または２に記載のダイビングスーツ用の脱着剤。
【請求項４】
前記高分子ゲル化剤は、粘度２,０００〜１０,０００ｍＰａ・s (１％、２５℃)のカルボキシメチルセルロース、ヒドロキシエチルセルロース、ヒドロキシプロピルメチルセルロースの中から選択されるいずれか１種以上であり、合計０．５〜５．０重量％配合されていることを特徴とする請求項３に記載のダイビングスーツ用の脱着剤。
【請求項５】
前記高分子ゲル化剤は、カルボキシメチルセルロース、ヒドロキシエチルセルロース、ヒドロキシプロピルメチルセルロースの中から選択されるいずれか１種以上であって合計０．５〜５．０重量％配合されており、さらにポリメトキシフラボノイド類を２．０重量％以下が配合されていることを特徴とする請求項１または２のいずれかに記載のダイビングスーツ用の脱着剤。
【請求項６】
前記高分子ゲル化剤に加えて、美白成分であるプラセンタエキス、アスコルビン酸、アスコルビン酸誘導体、コウジ酸、アルブチン、エラグ酸、４−n−ブチルレゾルシン、カモミラＥＴ、リノール酸Ｓ、トラネキサム酸、４−メトキシサリチル酸カリウム塩、アデノシン−リン酸二ナトリウムＯＴ、５，５´−ジプロピル−ビフェニル−２，２´−ジオール、ニコチン酸アミド、トラネキサム酸セチル塩酸塩、ポリメトキシフラボノイド類の中から選択されるいずれか１種以上が配合されていることを特徴とする請求項１〜５のいずれか１項に記載のダイビングスーツ用の脱着剤。
【請求項７】
前記高分子ゲル化剤に、ブチレングリコール、ジプロピレングリコール、グリセリン、ペンタンジオールの保湿成分、酸化チタンや酸化亜鉛の無機粉体、パラベンやフェノキシエタノールの防腐成分、ソルビタンモノオレエート、ＰＥＧ−６０水添ヒマシ油の分散剤の中から選択されるいずれか１種以上配合されていることを特徴とする請求項１〜６のいずれか１項に記載のダイビングスーツ用の脱着剤。
【発明の詳細な説明】
【技術分野】
【０００１】
本発明は、透湿性、防水性を有する単層又は複層から構成されるダイビングスーツの肌側の一部または全面に皮膜を形成するための製剤に係わる。
【背景技術】
【０００２】
本発明はドライスーツやウェットスーツなど遊泳、競泳、サーフィン、釣りなど海中や水中で使用されるダイビングスーツ全般において、とくに寒冷時において効果を発揮するスキン地やウエット地のダイビングスーツに関するものである。
【０００３】
ダイビングスーツ（以下、「スーツ」と略すこともある。）は、本来自分の身体に合わせたサイズのスーツを選択するかオーダーメイドで作る。それは、潜水中の海水や淡水がスーツ地の中に入り体内を冷やしことや作業性を損なうことを防ぐ目的がある。従来、遊泳や競泳に用いられる水着やサーフィン、釣りにおけるウェットスーツなどは、海水中での運動動作が円滑にできることである。それと同時に、着用時に海水がスーツ地と肌に入り体温の低下を招くことがないように密着性が重要な要求品質である。
【０００４】
また、スーツと肌の間に空気を入れて体温の低下を防ぐドライスーツは、さらに手首の密閉性があるためストレスが高い。体形に合わせるためどうしても手首や足首などからの着用時や脱着時が着づらくなる。脱着時のストレスを低減できないときに、爪を立てスーツを破損する場合がある。
【０００５】
こうした観点から、ツーウェィトリコットに代表される伸縮性の優れた編地を単体で用いるか、これらの編地とクロロプレンゴムなどにボンディングして用いられてきた。また、寒冷時での使用においては保温対策としてゴムの厚みや布地の積層などで対応してきたのが実状であり、厚みが大きくなりスーツの着衣や脱衣の際、スーツや肌側の動き易さが低下する傾向になった。スーツには脱着時のストレスを軽減するためのチャック式もあるが、海水塩がチャックに絡み使用不可やチャックの故障となる例があり不便である。
【０００６】
着用時は海水の中で着てストレスを軽減する方法はあるが、ウェットスーツは海水温が高い夏場であれば可能だが、秋から春先の水温が低いときやドライスーツではできない。こうした不具合を解消するため、脱着時に滑らす目的で、ダイバーはそろばんの球の滑らし粉や、オイルで肌とスーツ地の間に塗布する場合があるが、着用時に粉が舞うことや、オイルを洗い流すために洗剤での洗濯が必要になる。また、買い物で無料配布されるビニール袋を使用して滑らせて着用する方法があるが、最近では環境面からプラスチック製袋の廃止傾向にあり、脱ぐ際には使用しにくい。ダイビングスーツの裏側（肌側）に吸湿性微粒子を塗布する製剤や、化粧用のシート型パックや袋状の筒、心電図を取る時に使う電極固定用のジェルなどの関連技術がある（特許文献１〜６）。それらに同じ組成の物を試作してみても、実用性に乏しく脱着ストレスの軽減に値しない。
【先行技術文献】
【特許文献】
【０００７】
【特許文献１】特開１９９１−２５６８２５
【特許文献２】特開１９９５−５０２２３１
【特許文献３】特開２００１−５２５２２５
【特許文献４】特開２００１−２２５７９２
【特許文献５】特開２００１−２０６２８９
【特許文献６】特開２００３−１０５６７２
【発明の概要】
【発明が解決しようとする課題】
【０００８】
従来、遊泳や競泳に用いられる水着やサーフィン、釣りにおけるウェットスーツなどは、海水中での運動動作が円滑にできることである。それと同時に、着用時に海水がスーツ地と肌に入り体温の低下を招くことがないように密閉密着性が重要な要求品質である。本発明は上記のような従来のダイビングスーツの問題点を解決し、着衣や脱衣の際に余分な力を必要とせず、また爪などでスーツを傷めることのないよう滑り性付与を提供することにある。
【課題を解決するための手段】
【０００９】
本発明は、ダイビングスーツの肌側の表面の一部または全面に皮膜を形成するための製剤であって、高分子ゲル化剤が配合されているダイビングスーツ用の脱着剤である。本脱着剤により、ダイビングスーツ肌側で皮膚との密着性と滑り性がよくなる。
前記高分子ゲル化剤が、水溶性高分子の構造体ゲル化剤であることが好ましい。水溶性であることにより、使用後の洗い流しが簡便となる。
【００１０】
前記高分子ゲル化剤は、カルボキシビニルポリマー、ポリアクリル酸アミド、ポリエチレンイミン、ポリビニルアルコール、ポリビニルピロリドン、高重合ポリエチレングリコール、カルボキシメチルセルロース、ヒドロキシエチルセルロース、ヒドロキシプロピルメチルセルロースの中から選択されるいずれか１種以上であり、ダイビングスーツ用の脱着剤に合計０．０１〜１０．０重量％配合されている。
好ましくは、前記高分子ゲル化剤は、粘度２,０００〜１０,０００ｍＰａ・s (１％、２５℃)のカルボキシメチルセルロース、ヒドロキシエチルセルロース、ヒドロキシプロピルメチルセルロースの中から選択されるいずれか１種以上であり、ダイビングスーツ用の脱着剤に合計０．５〜５．０重量％配合されているのがよい。ダイビングスーツ用の脱着剤には、さらに好ましくは、高分子ゲル化剤として、海水で濡れた脱衣時にも粘度低下のない耐塩性が強く、かつ高粘度のゲル形成をするカルボキシメチルセルロース、ヒドロキシエチルセルロース、ヒドロキシプロピルメチルセルロースの中から選択されるいずれか１種以上であって合計０．５〜５．０重量％が配合されており、さらにポリメトキシフラボノイド類を２．０重量％以下が配合されているのがよい。
【００１１】
ダイビングスーツ用の脱着剤には、好ましくは前記高分子ゲル化剤に加えて、化粧料で使用される美白成分であるプラセンタエキス、アスコルビン酸、アスコルビン酸誘導体、コウジ酸、アルブチン、エラグ酸、４−n−ブチルレゾルシン、カモミラＥＴ、リノール酸Ｓ、トラネキサム酸、４−メトキシサリチル酸カリウム塩、アデノシン−リン酸二ナトリウムＯＴ、５，５´−ジプロピル−ビフェニル−２，２´−ジオール、ニコチン酸アミド、トラネキサム酸セチル塩酸塩、ポリメトキシフラボノイド類の中から選択されるいずれか１種以上が配合されている。これにより、日焼け防止効果を発揮できる。
ダイビングスーツ用の脱着剤には、前記高分子ゲル化剤に加えて、ブチレングリコール、ジプロピレングリコール、グリセリン、ペンタンジオールといった保湿成分、酸化チタンや酸化亜鉛といった無機粉体、パラベンやフェノキシエタノールといった防腐成分、ソルビタンモノオレエート、ＰＥＧ−６０水添ヒマシ油といった分散剤の中から選択されるいずれか１種以上が配合されていてもよい。
【発明の効果】
【００１２】
本発明は、従来のダイビングスーツの問題点である着衣や脱衣の際に余分な力を必要とせず、また爪などでスーツを傷めることがない。
また、脱衣のためにスーツと肌の隙間にやや先の尖がった容器で本発明のダイビングスーツ用脱着剤を入れる。その肌に付着した脱着剤や新たに脱着剤を塗布することにより、肌に日焼け防止効果がある。
【発明を実施するための形態】
【００１３】
以下、本発明の実施の形態について詳細に説明をする。
本発明のダイビングスーツ脱着剤は、水溶性高分子を有するゲル化製剤であることが望ましい。また、ある程度の粘度と伸び、滑り性を保つゲルでなければ、ダイビングスーツ肌側で皮膚との密着性と滑り性を発揮することができない。
【００１４】
本発明でもちいるカルボキシビニルポリマー、ポリアクリル酸アミド、ポリエチレンイミン、ポリビニルアルコール、ポリビニルピロリドン、高重合ポリエチレングリコール、カルボキシメチルセルロース、ヒドロキシエチルセルロース、ヒドロキシプロピルメチルセルロースは、水溶性であり使用後の洗い流しが簡便である。これまでにもポリアクリル酸ナトリウム配合でウエットジェル（ACORエイカー製）はあるが、ゲルに厚みがなく機能性が低い。一般に高粘調な溶液は高分子の重合度に左右されるが、本発明はさらにヒドロキシエチルセルロースのような構造的で５員環、６員環構造高分子であれば、直鎖構造よりも厚みのある構造となり、密着性を要求されるスーツの脱着にかかる力を低減し有意に機能を発揮する。
これらの水溶性高分子の構造体ゲル化剤のダイビングスーツ用脱着剤への配合量は合計０．０１〜１０．０重量％である。
好ましくは、カルボキシメチルセルロース、ヒドロキシエチルセルロース、ヒドロキシプロピルメチルセルロースの中から選択されるいずれか１種以上の配合量が合計0.5〜5.0％であり、B型粘度計を用いた粘度測定法では3,400〜5,000mPa・s (1%、25℃)の物性値を持つものが望ましい。これは高粘度でスーツと肌にある一定の厚みが滑り性になるため、粘度が低い化粧用ゲル化剤ではその効果を十分に発揮できないためである（販売名ナトロゾールNatrosol 250HHR  アシュラン社製）。
【００１５】
本品はダイビングスーツの着衣する前にはダイビングスーツの肌側の表面の一部または全面に塗布して皮膜を形成することでストレスなく着衣をできる。また、脱衣時は手首などダイビングスーツが締まっている部分に、先の尖がった容器から出るダイビングスーツ用脱着剤を入れて皮膜を形成し、スーツ肌側と肌を滑らせて簡単に脱衣ができる。
【００１６】
脱衣後に肌についた本発明のダイビングスーツ用脱着剤をそのまま皮膚に塗布しておくことで、日焼け防止効果を発揮できる。化粧料で使用されるプラセンタエキス、アスコルビン酸、アスコルビン酸誘導体、コウジ酸、アルブチン、エラグ酸、４−ｎ−ブチルレゾルシン、カモミラＥＴ、リノール酸Ｓ、トラネキサム酸、４−メトキシサリチル酸カリウム塩、アデノシン−リン酸二ナトリウムＯＴ、５，５´−ジプロピル−ビフェニル−２，２´−ジオール、ニコチン酸アミド、トラネキサム酸セチル塩酸塩、ポリメトキシフラボノイド類（例えば、ノビレチン、タンゲレチン、シネンセチン、販売名シークワーサー果皮エキス、沖縄リサーチセンター社製）は、化粧品で美白機能が確認されている。これらは、オキシベンゾンのような紫外線吸収剤でサンゴの白化現象がなく、環境にやさしい成分である。
【００１７】
これらの成分を適量配合することにより、太陽光の紫外線波長のA領域（400〜320nm）、B領域（320〜290nm）で皮膚内でのメラニン合成される黒化、紅斑を防ぐ働きを得る。配合されていないと、この領域の紫外線が肌の奥、表皮の下層にある「メラノサイト」に届くと、メラノサイトが働き始めてチロシナーゼ活性酵素を生成する。それがチロシンと結合してメラニン色素を作り出す。このメラニン色素が、肌を黒くする。メラニン色素は肌を紫外線から守る為に作られる。
【００１８】
特に美白成分のポリメトキシフラボノイド類の日焼けを防ぐ効果は、請求項５に記載の高分子ゲル化剤に配合することで、高粘度で滑り性を付与しつつその効果を発揮する。
【００１９】
肌への塗布をするため、化粧品成分として一般に配合されている安全で安定な保湿成分や防腐成分、分散剤を配合することで肌馴染みが良くなり、スキンケア効果を発揮する。
【実施例】
【００２０】
以下に実施例により本発明を詳細に説明するが、本発明は、何らこれらに限定するものではない。以下で、単に部、重量％と記載したものは、質量基準を意味する。
滑り性の機能成分ヒドロキシエチルセルロースの配合量を０．５〜５．０重量％としてその使用感を評価し、さらに、そのゲルの洗浄による落ち度合いを評価し、使い勝手をみている。
【００２１】
実施例の１〜６は、ダイビングスーツの脱着時の滑り性使用感をみるために被験者の男女３０名（年齢１８〜４５歳）の、実際に自分のスーツに適量塗布してテストし、被験者全員がひとりで脱着できたときを◎、被験者の２／３以上がひとりで脱着できたときを〇、被験者の１／３以上がひとりで脱着できたときを△、被験者の１／３以下がひとりで脱着できたときを×とした４段階を人数に分けてそれぞれの評価としている。
×：ストレスがかかり、滑り性が悪い    △：ストレスがややあり、滑り性がやや悪い    〇：ストレスがなくなり、滑り性が良い    ◎：ストレスがまったくなく、滑り性が大変良い
【００２２】
実施例１〜６の脱着後の洗い流しによるゲルの落ち度合いのテストは、４段階の方法で３分間実施した評価である。
×：石けんと温水で洗浄して落ちた    △：温水のみで強くもみながら洗浄して落ちた
〇：温水で洗浄して落ちた    ◎：冷水で洗浄して落ちた
【００２３】
実施例１〜５の日焼けによる防止効果は、男女５名（年齢２５〜３２歳）前腕内側部位直径３cmに塗布して、同様の大きさの直径３cm丸い黒紙で日光が当たらない部位と比較した。
被験者全員が日焼けをしないときを◎、被験者の２／３以上が日焼けをしないときを〇、被験者の１／３以上が日焼けをしないときを△、被験者の１／３以下が日焼けをしないときを×とした４段階を人数に分けてそれぞれの評価としている。
×：日焼けをした    △：やや日焼けをした    〇：日焼けをしない                    ◎：まったく日焼けしない
実施例は以下の表１に成分とその評価を示す。
【００２４】
本発明によるダイビングスーツの脱着ゲルのヒドロキシエチルセルロースは滑り性最も良い濃度が２．０重量％であった。その日焼け防止は、微粒子の酸化チタン１．０重量％、両親媒性の液剤に溶解されたポリメトキシフラボノイド（ノビレチン含有）１．０重量％の製剤である。これらは紫外線吸収剤のような油剤ではないため、ゲル成分の滑り性を得られて水洗いも簡単にできる。
【比較例】
【００２５】
滑り性の機能成分ヒドロキシエチルセルロースの配合量を０．０重量％として評価した結果を表１の比較例１に示す。また、配合量を１１重量％として評価した結果を表１の比較例２に示す。
ダイビングスーツ脱着時に従来から使用されている油剤のスクワランオイル、粉体のそろばんすべり粉、従来の市販品ウエットジェルについて、実施例と同じ×、△、〇、◎の４段階評価である。
これらの比較例を以下の表２の比較例３〜５に示す。
【００２６】
実施例の本発明と比較し、滑り性はスクワランオイルやそろばんすべり粉の評価は、◎だったが洗い流しに落ちが悪い。従来の市販品ウエットジェルの評価は、滑り性は△で満足した結果を得られてない。
【００２７】
【表１】
2020097804.tif 000002
2020097804.tif 000003
【００２８】
【表２】
2020097804.tif 000004